(57)【要約】【課題】ユニット本体の内部構成を見えにくくし、空調時の騒音を低減することができる空気調和装置の吸込グリルを提供する。【解決手段】ユニット本体１１に空気を導入する空気の吸込口１４に設けられ、複数の羽板４１を所定の間隔毎に備える空気調和装置１０の吸込グリル４０において、各羽板４１は、この吸込グリル４０の空気入側に位置し、空気吸込面に対して略垂直な板面を有する平板部４１ａと、空気出側に位置するとともにこの平板部４１ａに連接し、平板部４１ａに対して板面が所定の角度で傾斜する傾斜面部４１ｂとを備える構成とする。【選択図】図３
2008082681.tif 000002
【特許請求の範囲】
【請求項１】
ユニット本体に空気を導入する空気の吸込口に設けられ、複数の羽板を所定の間隔毎に備える空気調和装置の吸込グリルにおいて、
各羽板は、空気入側に位置し、空気吸込面に対して略垂直な板面を有する平板部と、空気出側に位置するとともに前記平板部に連接し、この平板部に対して板面が所定の角度で傾斜する傾斜面部と、
を備えることを特徴とする空気調和装置の吸込グリル。
【請求項２】
請求項１記載の空気調和装置の吸込グリルにおいて、
前記平板部と前記傾斜面部との連接部は、空気の吸込方向において前記羽板の略中央に位置すること、
を特徴とする空気調和装置の吸込グリル。
【請求項３】
請求項１または２記載の空気調和装置の吸込グリルにおいて、
前記所定の角度は１５度〜４５度程度であること、
を特徴とする空気調和装置の吸込グリル。
【発明の詳細な説明】
【技術分野】
【０００１】
本発明は、空気調和装置の吸込グリルに関する。
【背景技術】
【０００２】
従来、熱交換器や送風機等を備えた室内ユニット本体が天井内に埋設され、室内ユニット本体から延設された吹出ダクトを介して室内に空調空気を供給するビルトイン型空気調和装置が知られている。ビルトイン型空気調和装置の中には、室内ユニット本体の吸込口を天井開口に設置し、この吸込口に天井パネルを嵌装し、この天井パネルに形成される開口部に吸込板を設け、吸込板と天井パネルとの隙間から室内の空気を吸い込むようにしたものがある（例えば、「特許文献１」参照。）。
【０００３】
また、ビルトイン型空気調和装置の中には、室内ユニット本体に代えて、室内ユニット本体から延設された吸込ダクトを天井開口に配置して、この吸込ダクトを介して室内の空気を吸い込むように構成したものもある。この場合、吸込ダクトの吸込口に天井パネルを嵌装し、この天井パネルに形成される開口部には、上記吸込板に代えて網目または柵目に羽板が配置された吸込グリルを設け、羽板と羽板の間から室内の空気を吸い込むようすることも行われている（例えば、特許文献２参照）。
【特許文献１】特開２０００−２４９３６１号公報
【特許文献２】特開２００３−３３６８５８号公報
【発明の開示】
【発明が解決しようとする課題】
【０００４】
しかしながら、天井開口に室内ユニット本体の吸込口を配置する場合、吸込に嵌装された天井パネルの開口部に、吸込板に代えて吸込グリル（特許文献２）を設ける構成とした場合、開口部を覆う面積が小さく、室内から吸込グリルを見上げる角度によっては、羽板と羽板との間から室内ユニット本体の内部に設けられた熱交換器や送風機などの内部構成が見えてしまい、外観上好ましくない場合があった。また、送風機の回転音や熱交換器の風切音などの騒音が室内に漏れやすくなる恐れがあった。
本発明の課題は、ユニット本体の内部構成を見えにくくし、空調時の騒音を低減することができる空気調和装置の吸込グリルを提供することにある。
【課題を解決するための手段】
【０００５】
上記課題を解決するため、本発明の空気調和装置の吸込グリルは、ユニット本体に空気を導入する空気の吸込口に設けられ、複数の羽板を所定の間隔毎に備える空気調和装置の吸込グリルにおいて、各羽板は、当該吸込グリルの空気入側に位置し、空気吸込面に対して略垂直な板面を有する平板部と、空気出側に位置するとともに前記平板部に連接し、この平板部に対して板面が所定の角度で傾斜する傾斜面部と、を備えることを特徴とする。
上記構成によれば、所定の間隔毎に備えられる羽板において、吸込グリルの空気入側、すなわち空気吸込面側は略垂直な平板部が配置され、吸込グリルの空気出側、すなわちユニット本体側は平板部に連接し、平板部に対して所定の角度で傾斜する傾斜面部が配置されるので、吸込グリルの内側を視認しにくくすることができ、ユニット本体の内部構成を見えにくくすることができる。すなわち、吸込面側には空気吸込面に対して略垂直な平板部が所定の間隔を空けて並べられているので、吸込グリルの正面から吸込グリルの内部を視認する場合を除いて、平板部によりユニット本体の内部が遮蔽される。また、吸込グリルの正面から吸込グリルの内部を視認する場合にも、ユニット本体の内部が遮蔽される。
また、この様に、ユニット本体の内部構成が遮蔽されるので、送風機の送風音や熱交換器の風切音などの空調時の騒音が低減される。
【０００６】
上記構成の空気調和装置の吸込グリルにおいて、前記平板部と前記傾斜面部との連接部は、空気の吸込方向において前記羽板の略中央に位置することが好ましい。
また、上記構成の空気調和装置の吸込グリルにおいて、前記所定の角度は１５度〜４５度程度であること、が好ましい。
【発明の効果】
【０００７】
本発明によれば、空気調和装置の吸込グリルに所定の間隔毎に複数備えられる羽板をそれぞれ平板部と傾斜面部とにより構成することで、ユニット本体の内部構成を遮蔽し、空調時の騒音を低減することができる。
【発明を実施するための最良の形態】
【０００８】
以下、図面を参照して、本発明の実施の形態を説明する。
図１に、本実施の形態の吸込グリル４０が設けられる空気調和装置１０の概略構成を示す。図１に示すように、空気調和装置１０は、室内ユニット本体１１が建屋の天井空間Ａ内に埋設され、室内ユニット本体１１から延設された吹出ダクト１２および吹出チャンバ１３を介して室内に空調空気を供給する、いわゆるビルトイン型の空気調和装置１０である。
【０００９】
室内ユニット本体１１の筐体１１ａは天井空間Ａ内に図示しない吊りボルトを介して吊り下げられ、筐体１１ａの下部には空気の吸込口１４が形成されている。この吸込口１４には空気中に含まれる粉塵等を除去するためのフィルタ（図示略）が取り付けられるフィルタチャンバ１５が取り付けられている。また、筐体１１ａには、室内熱交換器１６や送風機１７が内蔵され、上記のフィルタチャンバ１５および吸込口１４を介して吸い込まれた室内の空気は室内熱交換器１６により熱交換され、熱交換後の空調空気が上述のように吹出ダクト１２および吹出チャンバ１３を介して室内に供給される。但し、この室内熱交換器１６には、図示しない冷媒配管により圧縮機、室外熱交換器、四方弁などに接続されており、冷媒回路を構成している。
【００１０】
建屋の天井部に張られた天井板２１には、上記フィルタチャンバ１５が配置される吸込開口２２および、吹出チャンバ１３が配置される吹出開口２３が形成されている。吹出開口２３は天井板２１の任意の位置に形成することができ、吸込開口２２は筐体１１ａに形成された吸込口１４の下方に形成される。これらの吸込開口２２および吹出開口２３の周囲は、例えば、樹脂製からなる天井パネル３０、２４（化粧パネル）によりそれぞれ覆われており、天井パネル３０には、例えば、天井パネル３０、２４と同素材で構成された吸込グリル４０および吹出グリル（図示略）がそれぞれ装着されている。この様に、天井パネル３０、２４および吸込グリル４０や吹出グリルを板金製のものではなく樹脂製のもので構成することにより、原材料費を低減することができるとともに、これらの部材を大量生産することが容易になり、コストを低減することができる。また、板金製の天井パネルや吸込グリル４０や吹出グリルに対して、樹脂製の天井パネル３０、２４や吸込グリル４０や吹出グリルは重量が低減するため、これらの部材を天井板２１に取り付ける作業が容易となる。
【００１１】
図２（ａ）は、天井板２１の吸込開口２２の周囲を覆う天井パネル３０および吸込グリル４０の具体的構成例を吸込グリル４０の空気吸込面側から示す正面図であり、図２（ｂ）は内部構造を省略した図２（ａ）におけるＡ−Ａ’断面図である。また、図３は、図２（ｂ）の一部を拡大して示した略図である。
【００１２】
図２（ａ）、（ｂ）に示すように、天井パネル３０は天井板２１に長尺な矩形状に形成された吸込開口２２の周囲を覆うとともに、吸込グリル４０が収容される化粧枠部３１と、この化粧枠部３１に連接されるとともに化粧枠部３１から室内ユニット本体１１の筐体１１ａ側に突出する嵌装部３２とを備えている。この嵌装部３２は矩形枠状に形成されるとともに矩形枠状に形成されたフィルタチャンバ１５の内壁面に嵌装されるもので、この嵌装部３２をフィルタチャンバ１５に嵌装させると、化粧枠部３１が天井板２１に形成された吸込開口２２の周囲を覆う。
【００１３】
吸込グリル４０は、図示例において、天井パネル３０の化粧枠部３１に２枚収容されている。吸込グリル４０は平面視において化粧枠部３１の長手方向（図中矢印Ｘ）に沿って長尺に形成されており、この長手方向に沿って長尺な薄板状に形成された複数の羽板４１を有している。各羽板４１は吸込グリル４０の短手方向（図中矢印Ｙ）に互いに所定の間隔Ｗ１を空けて配置されている。羽板４１が配置された羽板配置部４２の両端にはグリル枠部４３が設けられている。このグリル枠部４３間には桟部材４４が複数箇所において羽板４１と直交するように渡されており、各羽板４１はこの桟部材４４と連結されてグリル枠部４３に支持されている。
【００１４】
図２（ｂ）および図３に示すように、羽板４１は、この吸込グリル４０の空気入側、すなわち、空気吸込面側に位置し、この空気吸込面に対して略垂直な板面を有する平板部４１ａと、この吸込グリル４０の空気出側、すなわち、室内ユニット本体１１の筐体１１ａ側に位置するとともにこの平板部４１ａに連接し、平板部４１ａに対して板面が所定の傾斜角度θで傾斜する傾斜面部４１ｂとを有し、薄板状に形成された羽板４１が所定の位置（４１ｃ）において折り曲げられたような形状をしている。但し、吸込グリル４０の空気吸込面とは、建屋の室内側に面する面であり、送風機１７により室内の空気が吸込グリル４０の空気吸込面側から吸い込まれて筐体１１ａ内に導入される。また、図３は、羽板４１の配列状態を拡大して模式的に示した略図である。
【００１５】
この様に、羽板４１を平板部４１ａと傾斜面部４１ｂとから構成し、平板部４１ａを空気吸込面側に配置し、傾斜面部４１ｂを室内ユニット本体１１の筐体１１ａ側に配置することで、吸込グリル４０の内側を視認しにくくすることができる。すなわち、空気吸込面側には空気吸込面に対して略垂直な平板部４１ａが所定の間隔Ｗ１を空けて並べられているので、吸込グリル４０の正面、すなわち室内において吸込グリル４０の真下から吸込グリル４０を見上げる場合を除いて、平板部４１ａによりユニット本体の内部が遮蔽される。また、吸込グリル４０の真下から吸込グリル４０の内部を視認する場合にも、傾斜面部４１ｂにより羽板４１と羽板４１との間の間隙４５が所定の程度（幅Ｗ２）だけ遮蔽されており、吸込グリル４０の真下から吸込グリル４０を見上げた場合の、羽板４１と羽板４１との間隙４５が羽板４１と羽板４１との間の間隔Ｗ１よりも傾斜面部４１ｂにより幅Ｗ２だけ少なくなり、室内ユニット本体１１の内部構成を外部から見えにくくすることができる。また、この様に、室内ユニット本体１１の内部構成が遮蔽されるので、送風機１７の送風音や熱交換器の風切音などの騒音が低減される。
【００１６】
また、図３に示すように、羽板４１の平板部４１ａと傾斜面部４１ｂとの連接部４１ｃは、空気の吸込方向において羽板４１の略中央に位置することが好ましい。すなわち、平板部４１ａの空気の吸込方向における長さＴ１が傾斜面部４１ｂの空気の吸込方向における長さＴ２と等しいことが好ましい。また、傾斜面部４１ｂは平板部４１ａに対して１５度〜４５度程度の傾斜角度θを有していることが好ましく、２０度〜４０度程度の傾斜角度θを有していることがより好ましく、２５度〜３５度程度の傾斜角度θを有していることが好ましい。
【００１７】
また、図４および図５に示すように、本実施の形態の空気調和装置１０において、天井パネル３０および吸込グリル４０は、室内ユニットの送風処理量や取付位置等に応じて、三種類の大きさの天井パネル３０（３０Ａ、３０Ｂ、３０Ｃ）に対して２種類の大きさの吸込グリル４０（４０Ａ、４０Ｂ）を組み合わせることができるようになっている。
【００１８】
例えば、図４（ａ）（ｂ）には、短手方向の長さを同一とし、長手方向の長さがそれぞれ異なる天井パネル３０Ａ、３０Ｂを示す。天井パネル３０Ａの長手方向の長さは天井パネル３０Ｂの長手方向の長さよりも長く構成されている。天井パネル３０Ａ、３０Ｂにはそれぞれ長手方向の長さがＬ１、Ｌ２に構成された吸込グリル４０Ａ、４０Ｂが２枚収容されている。
【００１９】
一方、図５（ａ）、（ｂ）に示す天井パネル３０Ｃは、図４（ａ）、（ｂ）に示す天井パネル３０Ａ、３０Ｂよりも長手方向の長さが長く構成されており、図４（ａ）に示す吸込グリル４０Ａが一枚、図４（ｂ）に示す吸込グリル４０Ｂが２枚収容されている。この天井パネル３０Ｃには、天井パネル３０Ｃに形成される中央開口部３３（３３Ｃ）において化粧枠部３１Ｃの短手方向に渡される支持枠部３４ａ、３４ｂが設けられており、この支持枠部３４ａと支持枠部３４ｂとの間に短手方向の長さがＬ１の吸込グリル４０Ａが収容され、その両側部に短手方向の長さがＬ２の吸込グリル４０Ｂが収容されている。
【００２０】
この様に、長手方向の長さの異なる３種類の天井パネル３０Ａ、３０Ｂ、３０Ｃにおいて、最も長手方向の長さの長い天井パネル３０Ｃに支持枠部３４ａ、３４ｂを設けて、長手方向の長さの異なる２種類の吸込グリル４０Ａ、４０Ｂを収容させることで、吸込グリル４０を天井パネル３０Ａ、３０Ｂ、３０Ｃ毎に専用の大きさのものを用意する必要がなく、吸込グリル４０を汎用部品化することができる。また、長手方向の最も長い天井パネル３０Ｃにおいて、このように支持枠部３４ａ、３４ｂを短手方向に渡すように設けることで、天井パネル３０の強度を増すことができると同時に、天井板２１に天井パネル３０Ｃを取り付ける際に、この支持枠部３４ａ、３４ｂを把持部として持ち上げることができ、作業性を向上することができる。
【００２１】
また、天井パネル３０Ａ、３０Ｂ、３０Ｃには吸込グリル４０Ａ、４０Ｂのグリル枠部４３Ａ、４３Ｂにそれぞれ設けられた係止部（図示略）を受けるための受部（図示略）が形成されており、羽板４１の傾斜面部４１ｂ（図２および図３参照）の傾斜方向を適宜変更可能に取り付けることができるようになっている。
【００２２】
また、図５（ｂ）に天井パネル３０Ｃを室内ユニット本体１１の筐体１１ａに配置される側からみた斜視図を示す。この様に、吸込グリル４０Ａ、４０Ｂにはそれぞれフィルタ５０Ａ、５０Ｂを装着するための爪部４６Ａ、４６Ｂがそれぞれ設けられている。
【００２３】
以上説明した上記実施の形態によれば、平板部４１ａと傾斜面部４１ｂとの連接部４１ｃを羽板４１の略中央に位置させて、平板部４１ａの板面の面積と傾斜面部４１ｂの板面の面積とを略同一にすることで、吸込グリル４０をあらゆる方向から見上げた場合にも所定の遮蔽効果を発揮することができる。また、傾斜面部４１ｂを平板部４１ａに対して１５〜４５度程度とすることにより、空気を吸い込む際の通風抵抗の影響を抑えるとともに、上記の遮蔽効果を発揮することができる。すなわち、羽板４１と羽板４１との間隔Ｗ１を一定とした場合に、平板部４１ａに対して傾斜面部４１ｂの傾斜角度θが１５度よりも緩やかになる場合には、吸込グリル４０の真下から吸込グリル４０を見上げた場合に傾斜面部４１ｂにより遮蔽される羽板４１と羽板４１との間の隙間の面積が少なくなり、筐体１１ａ内部に備えられた室内熱交換器１６や送風機１７等の内部構成が見えやすくなる。また、平板部４１ａに対して傾斜面部４１ｂの傾斜角度θを４５度よりも大きくした場合には、空気を吸い込む際の通風抵抗が大きくなり好ましくない。
【００２４】
しかしながら、上記吸込グリル４０によれば、例えば、吸込グリル４０に設けられる羽板４１を柵目状あるいは網目状に構成する場合などに比して、平板部４１ａと傾斜面部４１ｂを設けることで、室内ユニット本体１１の筐体１１ａ内部の構成を遮蔽することができ、空調時の騒音も低減することができる。また、平板状に構成した羽板４１を一定の角度で傾斜させて取り付けた吸込グリル４０においては、吸込グリル４０の真下から見た場合には上記構成の吸込グリル４０と同様に筐体１１ａ内部の構成を遮蔽することができるものの、吸込グリル４０を見上げる角度によっては筐体１１ａ内部の構成が見えやすくなり、外観上好ましくない上に、羽板４１を傾斜させる角度によっては通風抵抗が増大するため空気吸込面の面積を増大するか、羽板４１と羽板４１との間隔Ｗ１を広げる必要が生じる。これに対して、上記実施の形態の吸込グリル４０は、上述の通り、通風抵抗の増大を抑えるとともに、筐体１１ａ内部の構成を見えにくくすることができ、空調時の騒音も低減することができる。
【００２５】
また、送風機１７の送風角度に応じて羽板４１の傾斜角度θを各羽板４１が取り付けられる位置に応じて逐一変化させる場合には、各羽板４１毎に形状の異なる金型を用意する必要があるが、上記実施の形態では、同一形状を有する羽板４１を複数設ける構成としているので、金型の製造が容易であり、製造コストの増大を抑えることができる。
【００２６】
但し、以上説明した上記実施の形態は本発明の一態様であり、本発明の趣旨を逸脱しない範囲において適宜変更可能であるのは勿論である。
例えば、上記実施の形態においては、室内ユニット本体１１の筐体１１ａの下部にフィルタチャンバ１５を設け、このフィルタチャンバ１５に天井パネル３０の嵌装部３２を嵌装させる構成としたが、室内ユニットの筐体１１ａの下部に形成された吸込口１４を天井板２１に形成する吸込開口２２に位置させて、筐体１１ａ下部に形成された吸込口１４に直接天井パネル３０の嵌装部３２を嵌装させる構成としてもよいのは勿論である。また、同様に、天井板２１に形成された吸込開口２２に吸込チャンバを配置させ、吸込チャンバと室内ユニット本体１１とを吸込ダクトを介して接続し、吸込チャンバおよび吸込ダクトを介して室内ユニット本体１１に空気を導入する構成としてもよい。
【００２７】
また、本発明に係る吸込グリル４０は、天井パネル３０の中央部に吸込口１４が設けられ四方向に吹出口が設けられたいわゆる４方向カセット形、あるいは天井パネル３０の中央部に吸込口１４が設けられその両側方に吹出口が設けられたいわゆる２方向カセット形、あるいは天井パネル３０の一端側に吸込口１４が形成され、他端側に吹出口が形成されたいわゆる１方向カセット形等の各種天井埋込型の空気調和装置１０に適用してもよいのはもちろんであるし、そのほか、天井吊り下げ形、壁掛形、床置き形等各種の形態の空気調和装置１０に適用することができるのは勿論である。
【図面の簡単な説明】
【００２８】
【図１】本発明に係る空気調和装置の構成例を示す側面図である。
【図２】本発明に係る吸込グリルの構成例を示す正面図（ａ）および側断面図（ｂ）である。
【図３】本発明に係る羽板の配置例を示す側面図である。
【図４】本発明に係る吸込グリルの態様を示す斜視図（ａ）、および別の態様を示す斜視図（ｂ）である。
【図５】本発明に係る吸込グリルの更に別の態様を示す斜視図（ａ）および、背面側から見た斜視図（ｂ）である。
【符号の説明】
【００２９】
Ｗ１  所定の間隔
１０  空気調和装置
１１  室内ユニット本体（ユニット本体）
１１ａ  筐体
１２  吹出ダクト
１３  吹出チャンバ
１４  吸込口
１５  フィルタチャンバ
１６  室内熱交換器
１７  送風機
２１  天井板
２２  吸込開口
２３  吹出開口
３０（３０Ａ、３０Ｂ、３０Ｃ）  天井パネル
４０（４０Ａ、４０Ｂ）  吸込グリル
４１  羽板
４１ａ  平板部
４１ｂ  傾斜面部
４１ｃ  連接部
【図１】
2008082681.tif 000003
【図２】
2008082681.tif 000004
【図３】
2008082681.tif 000005
【図４】
2008082681.tif 000006
【図５】
2008082681.tif 000007